(57)【要約】【課題】所定部位に対する応力集中を抑制して、より一層、静的強度及び疲労強度を向上させることにある。【解決手段】シャフト歯部２２は、歯厚が変化したクラウニングからなる山部２２ａを有し、ハブ歯部２８は、歯厚が一定の直線状からなり且つ端部からシャフトシャンク２４側に向かって内径が変化する山部２８ａを有し、前記シャフト歯部２２の谷部２２ｂには、ハブ歯部側に向かって徐々に拡径するテーパ部３０が形成され、前記ハブ歯部２８の山部２８ａには、該シャフト歯部側と反対方向に窪んだ段差部３２が形成され、前記テーパ部３０の起点（Ｐ１）と前記段差部３２の起点（Ｐ２）とをそれぞれ所定距離（Ｌ３）だけオフセットした位置に設定した。【選択図】図３
2005069473.tif 000002
【特許請求の範囲】
【請求項１】
シャフトに形成されたシャフト歯部と、前記シャフトの外周側に配置されたハブのハブ歯部とが係合することにより、前記シャフト及びハブ間で相互にトルク伝達が可能に結合された機構において、
前記シャフト歯部は、歯厚が変化したクラウニングからなる山部と、端部からシャフトシャンク側に向かって径が変化する谷部とを有し、
前記ハブ歯部は、歯厚が一定の直線状からなり且つ端部からシャフトシャンク側に向かって内径が変化する山部と、軸線方向に沿って一定の径からなる谷部とを有し、
前記シャフト歯部の谷部には、ハブ歯部側に向かって徐々に拡径するテーパ部が形成され、前記ハブ歯部の山部には、前記テーパ部に臨み該シャフト歯部側と反対方向に窪んだ段差部が形成されることを特徴とするシャフト及びハブの動力伝達機構。
【請求項２】
請求項１記載の機構において、
前記テーパ部の起点と前記段差部の起点とがそれぞれ所定距離だけオフセットした位置に設定されることを特徴とするシャフト及びハブの動力伝達機構。
【請求項３】
請求項１記載の機構において、
前記シャフト歯部に形成されたテーパ部の立ち上がり角度は、６度〜６５度に設定されることを特徴とするシャフト及びハブの動力伝達機構。
【請求項４】
請求項１記載の機構において、
前記シャフト歯部とハブ歯部との噛合部位に付与される荷重の度合いに対応して、主たる荷重伝達領域が異なるように設けられることを特徴とするシャフト及びハブの動力伝達機構。
【請求項５】
請求項４記載の機構において、
前記荷重の度合いは、低荷重、中荷重及び高荷重を含み、前記低荷重、中荷重及び高荷重の主たる各荷重伝達領域は、クラウニングトップからシャフトシャンク側に向かって順に離間する方向に設定されることを特徴とするシャフト及びハブの動力伝達機構。
【発明の詳細な説明】
【技術分野】
【０００１】
本発明は、シャフト及びハブからなる２部材間で回転トルクを円滑に伝達することが可能なシャフト及びハブの動力伝達機構に関する。
【背景技術】
【０００２】
自動車等の車両において、エンジンからの駆動力を車軸に伝達するためにシャフトを介して一組の等速ジョイントが用いられている。この等速ジョイントは、アウタ部材とインナ部材との間に配設されたトルク伝達部材を介してアウタ・インナ部材間のトルク伝達を行うものであり、シャフトに形成されたシャフト歯部とハブに形成されたハブ歯部とが係合した歯部組立体を有するシャフト及びハブのユニットを含む。
【０００３】
ところで、近年、騒音、振動等の動力伝達系のガタに起因して発生する等速ジョイントの円周方向のガタを抑制することが要求されている。従来では、内輪とシャフトとのガタを抑制するために、等速ジョイントの軸セレーションにねじれ角を設けたものがあるが、前記ねじれ角の方向とトルク負荷方向によって、内輪及びシャフトの強度、寿命にばらつきが生じるおそれがある。
【０００４】
また、歯車等の技術分野において、例えば、特許文献１〜３に示されるように、その歯面部にクラウニングを設ける技術的思想が開示されている。
【０００５】
さらに、トルクを伝達するための歯部組立体を有するシャフト／ハブユニットに関する特許文献４には、長手方向に沿って一定の外径を有するシャフト歯部と、長手方向に沿って一定の基部径を有するハブ歯部とが形成され、シャフト端部側の第１の部分におけるシャフト歯部の基部径（ｄｗ１）及びハブ歯部の内径（Ｄｎ１）に対し、シャフトシャンクに近接する第２の部分におけるシャフト歯部の基部径（ｄｗ２）及びハブ歯部の内径（Ｄｎ２）をそれぞれ大きく設定することが開示されている（ｄｗ１＜ｄｗ２、Ｄｎ１＜Ｄｎ２）。
【０００６】
さらにまた、軸部材と外周部材とのスプライン結合に関する特許文献５には、軸部材のシャフトシャンク側において、前記軸部材側の歯の谷部を拡径させて拡径領域を形成し、前記拡径領域内に軸部材側の歯と外周部材側の歯との嵌合部を設けることが開示されている。
【０００７】
ところで、本出願人は、スプラインが形成されたスプラインシャフトのクラウニングトップの位置を、スプラインシャフトと等速ジョイントとの嵌合部位に回転トルクが付与された際に最小となる位置に対応する位置に設けることにより、所定部分に応力が集中することを抑制するとともに、装置の全体構成を簡素化することを提案している（特許文献６参照）。
【０００８】
【特許文献１】特開平２−６２４６１号公報
【特許文献２】特開平３−６９８４４号公報
【特許文献３】特開平３−３２４３６号公報
【特許文献４】特表平１１−５１４０７９号公報
【特許文献５】特開２０００−９７２４４号公報
【特許文献６】特開２００１−２８７１２２号公報
【発明の開示】
【発明が解決しようとする課題】
【０００９】
本発明は、前記の提案に関連してなされたものであり、所定部位に対する応力集中を抑制して、より一層、静的強度及び疲労強度を向上させることが可能なシャフト及びハブの動力伝達機構を提供することを目的とする。
【課題を解決するための手段】
【００１０】
前記の目的を達成するために、本発明は、シャフトに形成されたシャフト歯部と、前記シャフトの外周側に配置されたハブのハブ歯部とが係合することにより、前記シャフト及びハブ間で相互にトルク伝達が可能に結合された機構において、
前記シャフト歯部は、歯厚が変化したクラウニングからなる山部と、端部からシャフトシャンク側に向かって径が変化する谷部とを有し、
前記ハブ歯部は、歯厚が一定の直線状からなり且つ端部からシャフトシャンク側に向かって内径が変化する山部と、軸線方向に沿って一定の径からなる谷部とを有し、
前記シャフト歯部の谷部には、ハブ歯部側に向かって徐々に拡径するテーパ部が形成され、前記ハブ歯部の山部には、前記テーパ部に臨み該シャフト歯部側と反対方向に窪んだ段差部が形成されることを特徴とする。
【００１１】
この場合、前記テーパ部の起点と前記段差部の起点とがそれぞれ所定距離だけオフセットした位置に設定されるとよい。
【００１２】
本発明によれば、シャフト歯部とハブ歯部とが係合した状態においてシャフト及びハブ間に回転トルクが付与された場合、前記シャフト歯部の谷部に形成されたテーパ部と前記ハブ歯部の山部に形成された段差部との共働作用下にシャフト歯部とハブ歯部との係合部位に付与される応力が分散され、応力集中が緩和される。
【００１３】
また、前記シャフト歯部の谷部にハブ歯部側に向かって徐々に拡径するテーパ部を形成することにより、応力が集中する部位であるシャフト歯部の谷部の径を増大させることができ、軸強度を向上させることができる。
【００１４】
さらに、シャフト歯部の谷部に形成されたテーパ部の起点とハブ歯部の山部に形成された段差部の起点とが所定距離だけオフセットしているため、前記シャフト歯部に付与された応力が一方の起点と他方の起点とにそれぞれ分散されることにより応力集中が緩和される。なお、前記シャフト歯部に形成されたテーパ部の立ち上がり角度を、６度〜６５度に設定することにより、好適な応力緩和効果が得られる。
【００１５】
この結果、本発明では、応力の集中を緩和して分散させることができるため、シャフト歯部とハブ歯部との係合部位に対する静的強度及び疲労強度を向上させることができる。
【００１６】
さらに、本発明では、前記シャフト歯部とハブ歯部との噛合部位に付与される荷重の度合いに対応して、主たる荷重伝達領域が異なるように設けるとよい。例えば、前記荷重の度合を、低荷重、中荷重及び高荷重に分類した場合、前記低荷重、中荷重及び高荷重の主たる各荷重伝達領域は、クラウニングトップからシャフトシャンク側に向かって順に離間する方向に設定されることにより、特定部位への応力集中が緩和される。
【発明の効果】
【００１７】
本発明によれば、以下の効果が得られる。
【００１８】
すなわち、シャフト歯部の谷部に形成されたテーパ部とハブ歯部の山部に形成された段差部との共働作用下にシャフト歯部とハブ歯部との係合部位に付与される応力が分散されることにより、応力の集中を緩和してシャフト歯部とハブ歯部との係合部位に対する静的強度及び疲労強度を向上させることができる。
【００１９】
また、シャフト歯部の谷部に形成されたテーパ部の起点とハブ歯部の山部に形成された段差部の起点とが所定距離だけオフセットしているため、シャフト歯部に付与された応力がテーパ部側の一方の起点と段差部側の他方の起点とにそれぞれ分散されることにより、応力の集中を緩和してシャフト歯部とハブ歯部との係合部位に対する静的強度及び疲労強度をより一層向上させることができる。
【発明を実施するための最良の形態】
【００２０】
本発明に係るシャフト及びハブの動力伝達機構について好適な実施の形態を挙げ、添付の図面を参照しながら以下詳細に説明する。
【００２１】
図１において参照数字１０は、本発明の実施の形態に係る動力伝達機構が適用されたシャフト及びハブのユニットを示す。このユニット１０は、等速ジョイントの一部を構成するものであり、前記シャフト１２は、駆動力伝達軸として機能し、ハブ１４は、図示しないアウタ部材の開口部内に収納され図示しないボールが係合する案内溝１５を有するインナリングとして機能するものである。
【００２２】
前記シャフト１２の一端部及び他端部には、それぞれ、ハブ１４の軸孔１６に嵌合する嵌合部１８が形成される。ただし、図１では、シャフト１２の一端部のみを示し、他端部の図示を省略している。前記嵌合部１８は、シャフト１２の軸線に沿って所定の歯長からなり、周方向に沿って形成された複数のスプライン歯２０を有するシャフト歯部２２を備える。前記シャフト歯部２２は、凸状の山部２２ａと凹状の谷部２２ｂとが周方向に沿って交互に連続して構成される。
【００２３】
前記シャフト１２の中心側の前記シャフト歯部２２に近接する部位には、シャフトシャンク２４が設けられ、また、シャフト１２の端部側には、前記ハブ１４の抜け止め機能を有する図示しない止め輪が環状溝（図示せず）を介して装着される。
【００２４】
前記シャフト１２を半径内方向に向かって見た場合、シャフト歯部２２の山部２２ａは、図２Ａに示されるように、歯厚が最大となるクラウニングトップＰ０から山部の両端部に向かって前記歯厚が連続的に減少するように形成されたクラウニングを有する。換言すると、シャフト歯部２２の山部２２ａを平面視した場合、図２Ａに示されるように両側がそれぞれ等しく湾曲したクラウニング形状を有する。
【００２５】
前記ハブ１４の軸孔１６の内周面には、前記シャフト１２の嵌合部１８に嵌合する複数の直線状のスプライン歯２６を有するハブ歯部２８が形成される。前記ハブ歯部２８は、凸状の山部２８ａと凹状の谷部２８ｂとが周方向に沿って交互に連続して構成され、前記ハブ歯部２８の山部２８ａは、図２Ａに示されるように、略同一の歯厚からなり、シャフト１２の軸線と略平行となるように形成されている。
【００２６】
図３は、シャフト歯部２２の谷部２２ｂとハブ歯部２８の山部２８ａとが係合した状態におけるシャフト１２の軸線方向に沿った一部拡大縦断面図である。図３中において、Ｐ０はクラウニングトップに対応する位置を示す。
【００２７】
シャフト歯部２２の谷部２２ｂ（谷部径φ１）のクラウニングトップＰ０に対応する位置（破線参照）からシャフトシャンク２４側に向かって水平方向に所定距離Ｌ１だけ移動した点Ｐ１（変化点）を設定し、水平方向に沿った谷部２２ｂに対して所定の立ち上がり角度θからなり、前記点Ｐ１を起点としてその谷部２２ｂの径がハブ歯部２８側に向かって徐々に増大するように形成されたテーパ部３０を設け、前記テーパ部３０を延在させてシャフトシャンク２４に連続させて形成する。
【００２８】
なお、シャフト歯部２２の山部２２ａの外径は、図３に示されるように、軸線方向に沿って一定で変化しないものと、図４に示されるように、山部２２ａの外径が点Ｐ１の近傍部位からシャフトシャンク２４側に向かって徐々に縮径（歯丈が短縮）するように変化するものとの両方が含まれる。前記山部２２ａの外径をシャフトシャンク２４側に向かって徐々に縮径させることにより、後述する転造ラックによる製造が容易となる。また、前記山部２２ａの外径をシャフトシャンク２４側に向かって徐々に縮径させても、回転トルクの伝達機能が低下することがない。なお、図４中における記号Ｈは、山部２２ａの外径の変化（落ち込み）と対比するための水平線を示す。
【００２９】
ハブ歯部２８の山部２８ａでは、前記シャフト歯部２２の点Ｐ１からシャフトシャンク２４と反対側に水平方向に沿った所定距離Ｌ３だけオフセットした位置に点Ｐ２を設定し、前記点Ｐ２からその山部径φ２から山部径φ３に変化させた段差部３２を形成し、さらに、所定距離Ｌ２だけ山部径φ３を延在させて形成する。
【００３０】
この場合、ハブ歯部２８の前記段差部３２は、例えば、傾斜面または所定の曲率半径からなる円弧状の曲面または複合面等によって形成するとよい。前記Ｐ２を起点とする段差部３２の傾斜角度は、テーパ部３０の立ち上がり角度θに対応して任意に設定される。なお、ハブ歯部２８側の形状は、前記段差部３２の形状に限定されるものではなく、例えば、所定の曲率半径を有するＲ形状、テーパ形状等を含む形状であってもよい。また、ハブ歯部２８の谷部２８ｂの内径は、軸線方向に沿って一定で変化しないものとする。
【００３１】
前記谷部径φ１は、シャフト１２の軸心からシャフト歯部２２の谷部２２ｂの底面までの離間距離を示したものであり、前記山部径φ２、φ３は、それぞれ、シャフト１２の軸心からハブ歯部２８の山部２８ａの歯先までの離間距離を示したものである。
【００３２】
図３から諒解されるように、シャフト歯部２２のテーパ部３０の立ち上がりの起点となる点Ｐ１と、ハブ歯部２８の段差部３２の立ち上がりの起点となる点Ｐ２とが所定の離間距離Ｌ３だけ略水平方向にオフセットした位置に設定されている。
【００３３】
従って、シャフト歯部２２とハブ歯部２８とが係合したシャフト１２及びハブ１４のユニット１０に対して回転トルクが付与された場合、シャフト歯部２２側の点Ｐ１とハブ歯部２８側の点Ｐ２とが所定距離だけオフセットしているため、前記ユニット１０に付与された応力が前記点Ｐ１と点Ｐ２とにそれぞれ分散されることにより応力集中を緩和することができる。
【００３４】
この結果、応力の集中を緩和して分散させることができるため、シャフト歯部２２とハブ歯部２８との係合部位に対する静的強度及び疲労強度を向上させることができる。
【００３５】
なお、テーパ部３０の立ち上がり角度θを緩やかに設定することにより、応力作用面であるテーパ部３０の面積を増大させることができ、より一層応力集中が緩和される。
【００３６】
前記テーパ部３０の立ち上がり角度θと応力緩和及び生産技術性との関係を図５に示す。図５から諒解されるように、前記テーパ部３０の立ち上がり角度θを６度〜６５度に設定すると良好（○印参照）であり、前記立ち上がり角度θを１０度〜３０度に設定すると最適（◎印参照）である。
【００３７】
前記立ち上がり角度θを６度未満に設定すると、応力の分散が不十分となり、一方、前記立ち上がり角度θが６５度を超えると後述する転造ラックによる廉価な転造成形を使用することができなくなり、生産技術性が劣化するからである。
【００３８】
ここで、シャフト歯部２２及びハブ歯部２８にそれぞれテーパ部３０及び段差部３２が形成されていない比較例に係る応力値の特性曲線Ａ（破線参照）と、点Ｐ１及び点Ｐ２がオフセットすることなく鉛直線上に一致して設定されるとともに、段差部３２が形成された応力値の特性曲線Ｂ（実線参照）を、それぞれ図６に示す。
【００３９】
この場合、オフセットしていない特性曲線Ｂでは、比較例に係る特性曲線Ａと比較して応力値のピークが減少して応力の集中が緩和されているが、鉛直線上に一致する点Ｐ１及び点Ｐ２の部位（図６中のア部分参照）に応力が集中して応力値が高くなっていることがわかる。
【００４０】
また、図７の特性曲線Ｃ（実線参照）は、図３に示される構造からなり、シャフト歯部２２及びハブ歯部２８にそれぞれテーパ部３０及び段差部３２を形成し、テーパ部３０の起点である点Ｐ１と段差部３２の起点である点Ｐ２とを水平方向に沿って距離Ｌ３だけオフセットさせたときの応力値を示したものであり、オフセットしていない特性曲線Ｂ（図６参照）と比較して、点Ｐ１及び点Ｐ２のオフセットした部位（図７のイ部分）の応力値が、より一層緩和されていることが諒解される（図６のア部分と図７のイ部分とを比較対照）。
【００４１】
次に、シャフト歯部２２側の点Ｐ１とハブ歯部２８側の点Ｐ２とが所定距離だけオフセットした状態における応力値の特性曲線（実線）Ｍと、前記点Ｐ１と点Ｐ２とがオフセットしていない、すなわち水平方向に沿った離間距離が零の状態における応力値の特性曲線（破線）Ｎとを図８に示す。
【００４２】
この場合、特性曲線Ｍ及び特性曲線Ｎのオフセットの有無部分（図８中のウ部分参照）を比較すると、オフセットしていない特性曲線Ｎに対してシャフト歯部側の起点Ｐ１とハブ歯部側の起点Ｐ２とがオフセットした特性曲線Ｍが緩やかな曲線となっており、オフセットさせることにより径の変化部分における応力の集中が緩和されている。
【００４３】
次に、回転トルクが付与されていない無負荷状態から、回転トルクが付与されてクラウニング形状を有するシャフト歯部２２の山部２２ａと直線形状を有するハブ歯部２８の山部２８ａとが噛合して変形した状態を図２Ａ及び図２Ｂに示す。なお、回転トルクによる荷重入力方向は、クラウニングの軸線と直交する矢印Ｙ方向に設定した。
【００４４】
この場合、応力値と測定位置（図２Ｂの円ａの部分、円ｂの部分、円ｃの部分参照）との関係を表した図９に示されるように、入力される荷重の度合いが異なることにより、応力値のピークポイントが測定位置に沿って変化していることがわかる。前記入力される荷重の度合いを、例えば、低荷重、中荷重、高荷重の三段階とすると、前記段階に対応した低荷重特性曲線Ｄ、中荷重特性曲線Ｅ、高荷重特性曲線Ｆとなる。
【００４５】
また、図１０は、低荷重、中荷重、高荷重のように入力される荷重の分類と、前記荷重が付与される位置との関係を示す特性図である。図２Ｂから諒解されるように、入力される荷重の度合いによってシャフト歯部２２とハブ歯部２８との噛合部位が、荷重付与位置ａ、ｂ、ｃに対応する円ａ、円ｂ、円ｃのように順次変化している。この噛合部位は、入力される荷重の度合いに対応してクラウニングトップＰ０からシャフトシャンク２４側に離間する方向に作用している。
【００４６】
すなわち、低荷重が付与されたときには、円ａの領域が主たる低荷重伝達領域となり、中荷重が付与されたときには、前記円ａからシャフトシャンク２４側に僅かに離間した円ｂの領域が主たる中荷重伝達領域となり、高荷重が付与されたときには、前記円ｂからシャフトシャンク２４側に僅かに離間する円ｃの領域が主たる高荷重伝達領域となる（図２Ｂ参照）。
【００４７】
このようにシャフト歯部２２をクラウニング形状とすることにより、入力される荷重の度合いに応じて荷重が伝達される領域（応力値のピークポイント）が変化する。
【００４８】
図１１〜図１３は、シャフト１２とハブ１４とを組み付けた際のシャフト歯部２２の谷部２２ｂとハブ歯部２８の山部２８ａとの接触状態を示す縦断面図である。なお、図１１〜図１３中におけるφｄ１〜φｄ３は、それぞれシャフト１２の軸心からのピッチ円径を示す。
【００４９】
シャフト歯部２２をクラウニング形状とすることにより、クラウニングトップＰ０の近傍領域のみが接触し（図１２の接触部位参照）、その他の領域では、シャフト歯部２２の谷部２２ｂとハブ歯部２８の山部２８ａとが非接触状態となる（図１１及び図１３参照）。
【００５０】
このようにクラウニング形状とすることによりシャフト歯部２２とハブ歯部２８との接触面積を減少させることができ、シャフト１２及びハブ１４の組み付け時における圧入荷重を低下させてシャフト歯部２２の谷部２２ｂに作用する応力を低減することができる。また、組み付け時における圧入荷重を増大させることがなく、シャフト歯部２２とハブ歯部２８との間のバックラッシュを抑制することができる。
【００５１】
また、図１１及び図１２と、図１３とを比較して諒解されるように、シャフト歯部２２及びハブ歯部２８のシャフトシャンク２４に近接する部位にテーパ部３０及び段差部３２をそれぞれ形成することにより、応力が集中する領域のシャフト歯部２２の径をαだけ増大させることができる。
【００５２】
従って、応力が集中する領域のシャフト歯部２２の径をαだけ増大させることにより、シャフト歯部２２の谷部２２ｂの歯底Ｒの曲率を大きく設定することが可能となり、応力を分散させることができる。また、シャフトシャンク２４に近接する部位の径を他の部位と比較して増大させることにより、全体応力（主応力）を低減させることができる。
【００５３】
次に、シャフト歯部２２のスプライン歯２６の製造方法について説明する。
【００５４】
図１４に示されるように、超硬材料によって略直線状に形成された上下一組の転造ラック４０ａ、４０ｂの間に、前加工であるツール加工によって所定の形状に形成された棒状の被加工物４２を挿入し、相互に対向する一組の転造ラック４０ａ、４０ｂによって被加工物４２を押圧した状態において、図示しないアクチュエータの駆動作用下に前記一組の転造ラック４０ａ、４０ｂを相互に反対方向（矢印方向）に変位させることにより、被加工物４２の外周面に対してクラウニング形状を有するスプライン加工が施される。
【００５５】
本実施の形態では、転造成形を用いることにより、クラウニング形状を有するシャフト歯部２２のスプライン歯２６を簡便に成形することができる。なお、前記ツール加工によりシャフト歯部２２のスプライン歯２６の歯先には、約５０μｍ程度の深さからなるツール溝（ツール目）が形成される。
【００５６】
また、転造成形を用いた場合、圧造（鍛造）成形と比較して、成形サイクルが速く、前記転造ラック４０ａ、４０ｂ等の成形歯具の耐久性を向上させることができる。さらに、転造成形では、転造ラック４０ａ、４０ｂ等の成形歯を再研磨して再利用することが可能である。従って、転造成形を用いた場合、圧造（鍛造）成形と比較して、寿命、成形サイクル、再利用等の点からコスト的に有利である。
【００５７】
ただし、転造の場合は歯先へ向かっての肉流れによって成形されるため、歯先の断面形状は必ずしも均等でない場合がある。
【図面の簡単な説明】
【００５８】
【図１】本発明の実施の形態に係る動力伝達機構が適用されたシャフト及びハブのユニットの一部切欠斜視図である。
【図２】シャフト歯部とハブ歯部とが係合した状態において、図２Ａは、無負荷状態を示し、図２Ｂは、前記無負荷状態から矢印Ｙ方向に回転トルクが付与された状態をそれぞれ示す拡大横断面図である。
【図３】図１のシャフト歯部の谷部とハブ歯部の山部とが係合した状態におけるシャフトの軸線方向に沿った一部拡大縦断面図である。
【図４】図３において、シャフト歯部の山部の外径をシャフトシャンク側に向かって変化させた状態を示す一部拡大縦断面図である。
【図５】シャフト歯部に形成されたテーパ部の立ち上がり角度θと応力緩和及び生産技術性との関係を示す説明図である。
【図６】シャフト歯部及びハブ歯部にテーパ部及び段差部が形成されていない状態と、前記オフセットすることなくテーパ部及び段差部が形成された状態におけるシャフトに発生する応力値とその応力を測定した位置との関係を示す特性曲線図である。
【図７】シャフト歯部及びハブ歯部にテーパ部及び段差部が形成されていない状態と、テーパ部及び段差部のそれぞれの起点がオフセットした状態におけるシャフトに発生する応力値とその応力を測定した位置との関係を示す特性曲線図である。
【図８】シャフト歯部の径の変化点及びハブ歯部の径の変化点がオフセットした状態とオフセットしていない状態におけるシャフトに発生する応力値とその応力を測定した位置との関係を示す特性曲線図である。
【図９】回転トルクが付与されたときの入力荷重に対応してシャフトに発生する応力値とその応力を測定した位置との関係を示す特性曲線図である。
【図１０】前記荷重が付与される位置と荷重の分類との関係を示す特性曲線図である。
【図１１】図３のＸＩ−ＸＩ線に沿った拡大縦断面図である。
【図１２】図３のＸＩＩ−ＸＩＩ線に沿った拡大縦断面図である。
【図１３】図３のＸＩＩＩ−ＸＩＩＩ線に沿った拡大縦断面図である。
【図１４】シャフト歯部のスプライン歯を転造ラックによって転造成形する状態を示す一部省略斜視図である。
【符号の説明】
【００５９】
１０…ユニット                      １２…シャフト
１４…ハブ                          １６…軸孔
１８…嵌合部                        ２０、２６…スプライン歯
２２…シャフト歯部                  ２２ａ、２８ａ…山部
２２ｂ、２８ｂ…谷部                ２４…シャフトシャンク
２８…ハブ歯部                      ３０…テーパ部
３２…段差部                        ４０ａ、４０ｂ…転造ラック
【図１】
2005069473.tif 000003
【図２】
2005069473.tif 000004
【図３】
2005069473.tif 000005
【図４】
2005069473.tif 000006
【図５】
2005069473.tif 000007
【図６】
2005069473.tif 000008
【図７】
2005069473.tif 000009
【図８】
2005069473.tif 000010
【図９】
2005069473.tif 000011
【図１０】
2005069473.tif 000012
【図１１】
2005069473.tif 000013
【図１２】
2005069473.tif 000014
【図１３】
2005069473.tif 000015
【図１４】
2005069473.tif 000016